(57)【特許請求の範囲】
【請求項１】
複数の色を含む第１入力画像を示す第１入力画像データに基づいて記録媒体に形成された第１出力画像を示す第１色データを取得する第１取得部と、
前記第１入力画像よりも色の数が少ない第２入力画像を示す第２入力画像データに基づいて記録媒体に形成された第２出力画像を示す第２色データを取得する第２取得部と、
入力画像の色から出力画像の色への変換情報を作成する場合、前記第１色データと前記第２色データとの対応する色同士の色差の統計値が第１閾値以上である場合に前記第１色データに相当する色データを前記第１取得部に取得し直させ、該色データを用いて前記変換情報を作成する第１作成モードで前記変換情報を作成し、前記統計値が前記第１閾値未満である場合に前記第２色データを用いて前記変換情報を作成する第２作成モードで前記変換情報を作成する作成処理を行う作成部と、
を備え、
前記第１色データは、前記第１出力画像が形成された記録媒体の色である地色に対応する色データを含み、
前記第２色データは、前記第２出力画像が形成された記録媒体の色である地色に対応する色データを含み、
前記作成部は、前記第１出力画像が形成された記録媒体の地色と、前記第２出力画像が形成された記録媒体の地色との色差である地色差が第２閾値未満である場合に前記作成処理を行い、前記地色差が前記第２閾値以上である場合に前記第２作成モードで前記変換情報を作成する
画像処理装置。
【請求項２】
前記作成部は、前記地色差が前記第２閾値未満で、かつ前記変換情報の過去の修正回数が第３閾値以下である場合に前記作成処理を行う
請求項１記載の画像処理装置。
【請求項３】
前記作成部は、前記第２作成モードで前記変換情報を作成する場合で、かつ前記第２色データに対して補間処理を行う場合に、前記第２色データの予め定められた上限値を超える値を該上限値とし、かつ予め定められた下限値未満の値を該下限値とするクリップ処理及び前記補間処理を行って得られた色データを用いて前記変換情報を作成する
請求項１又は請求項２記載の画像処理装置。
【請求項４】
前記作成部は、前記地色差が前記第２閾値以上で、かつ前記変換情報が過去に未修正である場合、前記第２色データに対し、前記クリップ処理を行わずに前記補間処理を行って得られた色データを用いて前記変換情報を作成する
請求項３記載の画像処理装置。
【請求項５】
前記第１入力画像データと前記第１色データとが対応付けられたベースデータが予め記憶された記憶部をさらに備え、
前記作成部は、前記地色差が前記第２閾値以上で、かつ前記変換情報が過去に未修正である場合、前記補間処理を行って得られた仮想のベースデータで、前記記憶部の前記ベースデータを更新する
請求項３又は請求項４記載の画像処理装置。
【請求項６】
前記作成部が前記第１作成モード及び前記第２作成モードの何れの作成モードで前記変換情報を作成するかを報知する報知部をさらに備えた
請求項１から請求項５の何れか１項記載の画像処理装置。
【請求項７】
複数の色を含む第１入力画像を示す第１入力画像データに基づいて記録媒体に形成された第１出力画像を示す色データであり、前記第１出力画像が形成された記録媒体の色である地色に対応する色データを含む第１色データを取得する第１取得部と、
前記第１入力画像よりも色の数が少ない第２入力画像を示す第２入力画像データに基づいて記録媒体に形成された第２出力画像を示す色データであり、前記第２出力画像が形成された記録媒体の色である地色に対応する色データを含む第２色データを取得する第２取得部と、
入力画像の色から出力画像の色への変換情報を作成する場合、前記第１出力画像が形成された記録媒体の地色と、前記第２出力画像が形成された記録媒体の地色との色差である地色差が第２閾値未満である場合に前記第２色データに対して補間処理及び前記第２色データの予め定められた上限値を超える値を該上限値とし、かつ予め定められた下限値未満の値を該下限値とするクリップ処理を行って得られた色データを用いて前記変換情報を作成し、前記地色差が第２閾値以上である場合に前記第２色データに対して前記クリップ処理を行わずに前記補間処理を行って得られた色データを用いて前記変換情報を作成する作成処理を行う作成部と、
を備えた画像処理装置。
【請求項８】
複数の色を含む第１入力画像を示す第１入力画像データに基づいて記録媒体に形成された第１出力画像を示す第１色データを取得する第１取得部と、
前記第１入力画像よりも色の数が少ない第２入力画像を示す第２入力画像データに基づいて記録媒体に形成された第２出力画像を示す第２色データを取得する第２取得部と、
入力画像の色から出力画像の色への変換情報を修正する指示が外部から受け付けられた場合、前記変換情報が過去に修正されている場合に前記第２色データに対して補間処理及び前記第２色データの予め定められた上限値を超える値を該上限値とし、かつ予め定められた下限値未満の値を該下限値とするクリップ処理を行って得られた色データを用いて前記変換情報を作成し、前記変換情報が過去に未修正である場合に前記第２色データに対して前記クリップ処理を行わずに前記補間処理を行って得られた色データを用いて前記変換情報を作成する作成処理を行う作成部と、
を備えた画像処理装置。
【請求項９】
請求項１から請求項８の何れか１項記載の画像処理装置と、
前記作成部により作成された変換情報を用いて、前記記録媒体に画像を形成する画像形成部と、
を備えた画像形成装置。
【請求項１０】
コンピュータを、請求項１から請求項８の何れか１項記載の画像処理装置の第１取得部、第２取得部、及び作成部として機能させるための画像処理プログラム。
【発明の詳細な説明】
【技術分野】
【０００１】
本発明は、画像処理装置、画像形成装置、及び画像処理プログラムに関する。
【背景技術】
【０００２】
特許文献１には、画像形成装置のプロファイルを調整するプロファイル調整装置が開示されている。このプロファイル調整装置は、プロファイル生成時に用いたパッチ画像データにおけるパッチの数よりも少ない数の調整用パッチを配置した調整用パッチ画像データを作成する。また、このプロファイル調整装置は、前記調整用パッチ画像データに従って前記画像形成装置から出力された調整用パッチ画像上の各調整用パッチを測色して測色値を得る。また、このプロファイル調整装置は、得られた測色値と各調整用パッチの信号値とに基づいてプロファイルを調整する。そして、このプロファイル調整装置は、各調整用パッチを、プロファイル生成時に用いたパッチ画像データにおけるパッチのうち調整用パッチの信号値との差分が最小となるような信号値を持つパッチと同じ位置に配置して、調整用パッチ画像データを作成する。
【０００３】
また、特許文献２には、第１の色空間における第１の色情報と、当該第１の色情報を画像の色調整が行われる被色調整手段に入力したときに第２の色空間において出力されるべき目標としての第１の出力色情報とを関連づけた第１の関連情報、及び当該第１の色情報と、当該第１の色情報を当該被色調整手段に入力したときに出力された画像の第２の色空間における第２の出力色情報とを関連づけた第２の関連情報を取得する関連情報取得部を備えた色処理装置が開示されている。この色処理装置は、前記第２の関連情報で使用される前記第１の色情報よりも数を少なくした第１の色空間における第２の色情報を前記被色調整手段に対し出力する出力部と、前記第２の色情報を前記被色調整手段に入力したときに、当該被色調整手段で出力される第２の色空間における第３の出力色情報を取得する出力色情報取得部と、を備える。さらに、この色処理装置は、前記第３の出力色情報を基にして、新たに適用される前記第２の関連情報の予測を前記第２の出力色情報の予測により行なう予測部と、予測された前記第２の関連情報と前記第１の関連情報を基にして、前記第１の色空間内で前記被色調整手段の色調整を行なう変換関係を作成する変換関係作成部と、を備える。
【先行技術文献】
【特許文献】
【０００４】
【特許文献１】特開２０１１−２５４２３４号公報
【特許文献２】特開２０１５−１１９４２２号公報
【発明の概要】
【発明が解決しようとする課題】
【０００５】
本発明は、入力画像の色から出力画像の色への変換情報の作成時とは条件が変わった場合でも、条件に応じた適切な変換情報を作成することができる画像処理装置、画像形成装置、及び画像処理プログラムを提供することを目的とする。
【課題を解決するための手段】
【０００６】
上記目的を達成するために、請求項１に記載の画像処理装置は、複数の色を含む第１入力画像を示す第１入力画像データに基づいて記録媒体に形成された第１出力画像を示す第１色データを取得する第１取得部と、前記第１入力画像よりも色の数が少ない第２入力画像を示す第２入力画像データに基づいて記録媒体に形成された第２出力画像を示す第２色データを取得する第２取得部と、入力画像の色から出力画像の色への変換情報を作成する場合、前記第１色データと前記第２色データとの対応する色同士の色差の統計値が第１閾値以上である場合に前記第１色データに相当する色データを前記第１取得部に取得し直させ、該色データを用いて前記変換情報を作成する第１作成モードで前記変換情報を作成し、前記統計値が前記第１閾値未満である場合に前記第２色データを用いて前記変換情報を作成する第２作成モードで前記変換情報を作成する作成処理を行う作成部と、を備え、前記第１色データは、前記第１出力画像が形成された記録媒体の色である地色に対応する色データを含み、前記第２色データは、前記第２出力画像が形成された記録媒体の色である地色に対応する色データを含み、前記作成部は、前記第１出力画像が形成された記録媒体の地色と、前記第２出力画像が形成された記録媒体の地色との色差である地色差が第２閾値未満である場合に前記作成処理を行い、前記地色差が前記第２閾値以上である場合に前記第２作成モードで前記変換情報を作成する。
【０００８】
また、請求項２に記載の発明は、請求項１に記載の発明において、前記作成部が、前記地色差が前記第２閾値未満で、かつ前記変換情報の過去の修正回数が第３閾値以下である場合に前記作成処理を行うものである。
【０００９】
また、請求項３に記載の発明は、請求項１又は請求項２に記載の発明において、前記作成部が、前記第２作成モードで前記変換情報を作成する場合で、かつ前記第２色データに対して補間処理を行う場合に、前記第２色データの予め定められた上限値を超える値を該上限値とし、かつ予め定められた下限値未満の値を該下限値とするクリップ処理及び前記補間処理を行って得られた色データを用いて前記変換情報を作成するものである。
【００１０】
また、請求項４に記載の発明は、請求項３に記載の発明において、前記作成部が、前記地色差が前記第２閾値以上で、かつ前記変換情報が過去に未修正である場合、前記第２色データに対し、前記クリップ処理を行わずに前記補間処理を行って得られた色データを用いて前記変換情報を作成するものである。
【００１１】
また、請求項５に記載の発明は、請求項３又は請求項４に記載の発明において、前記第１入力画像データと前記第１色データとが対応付けられたベースデータが予め記憶された記憶部をさらに備え、前記作成部は、前記地色差が前記第２閾値以上で、かつ前記変換情報が過去に未修正である場合、前記補間処理を行って得られた仮想のベースデータで、前記記憶部の前記ベースデータを更新するものである。
【００１２】
また、請求項６に記載の発明は、請求項１から請求項５の何れか１項に記載の発明において、前記作成部が前記第１作成モード及び前記第２作成モードの何れの作成モードで前記変換情報を作成するかを報知する報知部をさらに備えている。
【００１３】
一方、上記目的を達成するために、請求項７に記載の画像処理装置は、複数の色を含む第１入力画像を示す第１入力画像データに基づいて記録媒体に形成された第１出力画像を示す色データであり、前記第１出力画像が形成された記録媒体の色である地色に対応する色データを含む第１色データを取得する第１取得部と、前記第１入力画像よりも色の数が少ない第２入力画像を示す第２入力画像データに基づいて記録媒体に形成された第２出力画像を示す色データであり、前記第２出力画像が形成された記録媒体の色である地色に対応する色データを含む第２色データを取得する第２取得部と、入力画像の色から出力画像の色への変換情報を作成する場合、前記第１出力画像が形成された記録媒体の地色と、前記第２出力画像が形成された記録媒体の地色との色差である地色差が第２閾値未満である場合に前記第２色データに対して補間処理及び前記第２色データの予め定められた上限値を超える値を該上限値とし、かつ予め定められた下限値未満の値を該下限値とするクリップ処理を行って得られた色データを用いて前記変換情報を作成し、前記地色差が第２閾値以上である場合に前記第２色データに対して前記クリップ処理を行わずに前記補間処理を行って得られた色データを用いて前記変換情報を作成する作成処理を行う作成部と、を備えている。
【００１４】
また、上記目的を達成するために、請求項８に記載の画像処理装置は、複数の色を含む第１入力画像を示す第１入力画像データに基づいて記録媒体に形成された第１出力画像を示す第１色データを取得する第１取得部と、前記第１入力画像よりも色の数が少ない第２入力画像を示す第２入力画像データに基づいて記録媒体に形成された第２出力画像を示す第２色データを取得する第２取得部と、入力画像の色から出力画像の色への変換情報を修正する指示が外部から受け付けられた場合、前記変換情報が過去に修正されている場合に前記第２色データに対して補間処理及び前記第２色データの予め定められた上限値を超える値を該上限値とし、かつ予め定められた下限値未満の値を該下限値とするクリップ処理を行って得られた色データを用いて前記変換情報を作成し、前記変換情報が過去に未修正である場合に前記第２色データに対して前記クリップ処理を行わずに前記補間処理を行って得られた色データを用いて前記変換情報を作成する作成処理を行う作成部と、を備えている。
【００１５】
一方、上記目的を達成するために、請求項９に記載の画像形成装置は、請求項１から請求項８の何れか１項記載の画像処理装置と、前記作成部により作成された変換情報を用いて、前記記録媒体に画像を形成する画像形成部と、を備えている。
【００１６】
また、上記目的を達成するために、請求項１０に記載の画像処理プログラムは、コンピュータを、請求項１から請求項８の何れか１項記載の画像処理装置の第１取得部、第２取得部、及び作成部として機能させるためのものである。
【発明の効果】
【００１７】
請求項１、及び請求項７から請求項１０に記載の発明によれば、入力画像の色と出力画像の色との変換情報の作成時と条件が変わった場合でも、条件に応じた適切な変換情報を作成することができる。
【００１８】
請求項１に記載の発明によれば、記録媒体の地色差に応じて、適切に変換情報を作成することができる。
【００１９】
請求項２に記載の発明によれば、変換情報の修正回数に応じて、適切に変換情報を作成することができる。
【００２０】
請求項３に記載の発明によれば、クリップ処理を行わない場合に比較して、精度の良い変換情報を作成することができる。
【００２１】
請求項４に記載の発明によれば、記録媒体の地色差が比較的大きい場合でも、適切に変換情報を作成することができる。
【００２２】
請求項５に記載の発明によれば、２回目以降のプロファイル作成処理の際に、個々の使用状況に応じて作成されたベースデータを用いて適切に変換情報を作成することができる。
【００２３】
請求項６に記載の発明によれば、何れの作成モードで変換情報が作成されるかをユーザが把握することができる。
【図面の簡単な説明】
【００２４】
【図１】実施の形態に係る画像形成装置の構成を示すブロック図である。
【図２】実施の形態に係る画像形成装置の制御部の機能ブロック図である。
【図３】実施の形態に係る第１出力画像の一例を示す平面図である。
【図４】実施の形態に係る第２出力画像の一例を示す平面図である。
【図５】実施の形態に係るターゲット情報の一例を示す模式図である。
【図６】実施の形態に係るベースデータの一例を示す模式図である。
【図７】実施の形態に係るプロファイルの一例を示す模式図である。
【図８】実施の形態に係るクリップ処理の説明に供するグラフである。
【図９】実施の形態に係るプロファイル作成処理プログラムの処理の流れを示すフローチャートである。
【図１０】実施の形態に係る第１通知画面の一例を示す概略図である。
【図１１】実施の形態に係る第２通知画面の一例を示す概略図である。
【図１２】実施の形態に係る第３通知画面の一例を示す概略図である。
【図１３】実施の形態に係る確認画面の一例を示す概略図である。
【図１４】実施の形態に係る第４通知画面の一例を示す概略図である。
【図１５】変形例に係るプロファイル作成処理プログラムの処理の流れを示すフローチャートである。
【図１６】変形例に係るプロファイル作成処理プログラムの処理の流れを示すフローチャートである。
【図１７】変形例に係るプロファイル作成処理プログラムの処理の流れを示すフローチャートである。
【発明を実施するための形態】
【００２５】
以下、図面を参照して、本発明を実施するための形態例を詳細に説明する。
【００２６】
図１を参照して、本実施の形態に係る画像形成装置１０の構成を説明する。なお、以下では、シアン色をＣ、マゼンタ色をＭ、黄色をＹ、黒色をＫで表すと共に、各構成部品及びトナー画像を色毎に区別する必要がある場合には、符号の末尾に各色に対応する色の符号（Ｃ、Ｍ、Ｙ、Ｋ）を付して説明する。また、以下では、各構成部品及びトナー画像を色毎に区別せずに総称する場合には、符号の末尾の色の符号を省略して説明する。
【００２７】
図１に示すように、本実施の形態に係る画像形成装置１０は、制御部１２、用紙供給部４０、画像形成部４２、測色装置４４、用紙排出部４６、通信回線Ｉ／Ｆ（InterFace）４８、及び操作表示部５０を備えている。
【００２８】
本実施の形態に係る制御部１２は、画像形成装置１０の全体的な動作を司るＣＰＵ（Central Processing Unit）２０、及び各種プログラムや各種パラメータ等が予め記憶されたＲＯＭ（Read Only Memory）２２を備えている。また、制御部１２は、ＣＰＵ２０による各種プログラムの実行時のワークエリア等として用いられるＲＡＭ（Random Access Memory）２４、フラッシュメモリ等の不揮発性の記憶部２６、及び入出力Ｉ／Ｆ２８を備えている。
【００２９】
そして、ＣＰＵ２０、ＲＯＭ２２、ＲＡＭ２４、記憶部２６、及び入出力Ｉ／Ｆ２８の各部がアドレスバス、データバス、及び制御バス等のバス３０を介して互いに接続されている。また、入出力Ｉ／Ｆ２８には、用紙供給部４０、画像形成部４２、測色装置４４、用紙排出部４６、通信回線Ｉ／Ｆ４８、及び操作表示部５０が接続されている。
【００３０】
本実施の形態に係る用紙供給部４０は、記録媒体の一例としての用紙Ｐ（図３及び図４も参照。）が複数積載される用紙収容部、及び用紙収容部に積載された用紙Ｐを１枚ずつ取り出して後述する画像形成部４２に供給する供給機構等を備えている。
【００３１】
本実施の形態に係る画像形成部４２は、デバイス依存の第１色空間（本実施の形態では、ＣＭＹＫ色空間）のＣ、Ｍ、Ｙ、Ｋの各色の画像形成ユニットを備えている。各色の画像形成ユニットは、像保持体、像保持体の表面を帯電させる帯電器、及び帯電した像保持体の表面に静電潜像を形成する露光光を照射する露光装置を備えている。また、各色の画像形成ユニットは、露光装置による露光光の照射によって像保持体の表面に形成された静電潜像を現像剤で現像してトナー画像として可視化する現像器を備えている。
【００３２】
また、画像形成部４２は、無端状の中間転写ベルト、及び中間転写ベルトを挟んで各色の像保持体の反対側に各々配置された一次転写ロールを備えている。以上の構成により、各色の画像形成ユニットの像保持体上に順次形成されたＣ、Ｍ、Ｙ、Ｋの各色のトナー画像が、各色の一次転写ロールによって、中間転写ベルト上に多重に転写される。
【００３３】
また、画像形成部４２は、補助ロール、及び中間転写ベルトを挟んで補助ロールの反対側に設けられ、中間転写ベルト上に転写されたトナー画像を、搬送される用紙Ｐに転写する二次転写ロールを備えている。二次転写ロールは接地されており、補助ロールは二次転写ロールの対向電極を形成しており、補助ロールに二次転写バイアスが印加されることにより、用紙Ｐに中間転写ベルトからトナー画像が転写される。
【００３４】
さらに、画像形成部４２は、用紙Ｐに転写されたトナー画像を加圧及び加熱することによって定着させる定着装置を備えている。
【００３５】
本実施の形態に係る測色装置４４は、画像形成部４２により用紙Ｐに形成された画像を読み取り、読み取って得られた画像データを、入出力Ｉ／Ｆ２８を介してＣＰＵ２０に出力する。また、測色装置４４は、画像データを、デバイス非依存の第２色空間（本実施の形態では、Ｌ＊ａ＊ｂ＊色空間）の色データとしてＣＰＵ２０に出力する。
【００３６】
本実施の形態に係る用紙排出部４６は、用紙Ｐが排出される排出部、及び画像形成部４２により画像が形成され、測色装置４４により画像が読み取られた用紙Ｐを上記排出部上に排出する排出機構等を備えている。
【００３７】
本実施の形態に係る通信回線Ｉ／Ｆ４８は、外部装置と通信データの送受信を行う。本実施の形態に係る操作表示部５０は、画像形成装置１０に対するユーザからの指示を受け付ける一方、ユーザに対して画像形成装置１０の動作状況等に関する各種情報を表示する。なお、操作表示部５０は、例えば、プログラムの実行により操作指示の受け付けを実現する表示ボタンや各種情報が表示される表示面にタッチパネルが設けられたディスプレイ、及びテンキーやスタートボタン等のハードウェアキーを含む。
【００３８】
ところで、本実施の形態に係る画像形成装置１０には、入力画像の色から出力画像の色への変換関係を表す変換情報の一例としてのプロファイルを作成する作成機能が搭載されている。
【００３９】
次に、図２を参照して、上記作成機能について説明する。図２に、本実施の形態に係る作成機能を実行するための制御部１２の機能ブロック図を示す。図２に示すように、制御部１２は、画像形成制御部６０、第１取得部６２、第２取得部６４、判定部６６、作成部６８、及び報知部７０を備えている。また、記憶部２６には、第１入力画像データ８０、第２入力画像データ８２、ターゲット情報８４、ベースデータ８６、プロファイル８８、及びカウンタ９０が記憶される。なお、本実施の形態では、後述する平均色差との比較に用いる第１閾値、地色差との比較に用いる第２閾値、及び修正回数との比較に用いる第３閾値が予め定められて、記憶部２６に記憶されている。
【００４０】
本実施の形態に係る第１入力画像データ８０は、予め定められた複数（本実施の形態では、１５８４通り）の色を含み、各色はＣＭＹＫの各色の組み合わせの色データで構成される。図３に、第１入力画像データ８０に基づいて画像形成部４２により用紙Ｐに形成される第１出力画像Ｇ１の一例を示す。図３に示すように、本実施の形態に係る第１出力画像Ｇ１は、１５８４個の異なる色のパッチ画像ＰＧで構成される。
【００４１】
本実施の形態に係る第２入力画像データ８２は、第１入力画像データ８０よりも少ない複数（本実施の形態では、２００通り）の色を含み、各色はＣＭＹＫの各色の組み合わせの色データで構成される。図４に、第２入力画像データ８２に基づいて画像形成部４２により用紙Ｐに形成される第２出力画像Ｇ２の一例を示す。図４に示すように、本実施の形態に係る第２出力画像Ｇ２は、２００個の異なる色のパッチ画像ＰＧで構成される。なお、本実施の形態では、第２入力画像データ８２の各色は、第１入力画像データ８０に含まれる色とされているが、これに限定されないことは言うまでもない。また、本実施の形態では、第１出力画像Ｇ１及び第２出力画像Ｇ２には、画像を形成する際にトナーを用いない（本実施の形態では、Ｙ、Ｍ、Ｃ、Ｋの値が各々０）パッチ画像ＰＧが含まれているものとする。
【００４２】
本実施の形態に係るターゲット情報８４は、第１色空間における色データと、該色データに基づいて画像形成部４２により用紙Ｐに形成される画像の、目標とする第２色空間における色データとの対応関係を示す情報である。図５に、ターゲット情報８４の一例を示す。図５に示すように、本実施の形態に係るターゲット情報８４では、第１色空間における色データと、第２色空間における色データが１対１で対応付けられて記憶部２６に記憶される。また、ターゲット情報８４の第１色空間における色データは、第１出力画像Ｇ１に含まれる各パッチ画像ＰＧの色と同じ色を示すデータとされている。すなわち、ターゲット情報８４は、１５８４通りの第１色空間における色データと、第２色空間における色データとの対応関係を示す情報で構成される。なお、本実施の形態では、画像形成装置１０の出荷時には、予め定められた種類及び色等の用紙Ｐについてのターゲット情報８４が記憶部２６に記憶されているものとする。
【００４３】
本実施の形態に係るベースデータ８６は、第１色空間における色データと、該色データに基づいて画像形成部４２により用紙Ｐに形成された画像を測色装置４４により読み取って得られた実測値である、第２色空間における色データとの対応関係を示す情報である。図６に、ベースデータ８６の一例を示す。図６に示すように、本実施の形態に係るベースデータ８６では、第１色空間における色データと、第２色空間における色データの実測値とが１対１で対応付けられて記憶部２６に記憶される。なお、本実施の形態では、画像形成装置１０の出荷時には、ターゲット情報８４と同一の用紙Ｐについて、画像形成部４２により用紙Ｐに形成された第１出力画像Ｇ１を測色装置４４により読み取って得られた実測値に基づくベースデータ８６が記憶部２６に記憶されているものとする。すなわち、ベースデータ８６も、１５８４通りの第１色空間における色データと、第２色空間における色データの実測値との対応関係を示す情報で構成される。
【００４４】
なお、本実施の形態では、ターゲット情報８４を構成する対応関係を示す情報の数と、ベースデータ８６を構成する対応関係を示す情報の数とが同一である場合について説明するが、これに限定されない。ターゲット情報８４を構成する対応関係を示す情報の数と、ベースデータ８６を構成する対応関係を示す情報の数とは、異なっていてもよい。
【００４５】
本実施の形態に係るプロファイル８８は、第１色空間における入力画像の色から出力画像の色への変換関係を示す変換情報である。プロファイル８８は、ターゲット情報８４及びベースデータ８６に基づいて、画像形成部４２により用紙Ｐに形成される画像の色が、ターゲット情報８４により示される目標色に一致する又は近付くように作成される。図７に、プロファイル８８の一例を示す。図７に示すように、本実施の形態に係るプロファイル８８では、第１色空間における入力される色データと、出力される色データとが１対１で対応付けられて記憶部２６に記憶される。なお、本実施の形態では、画像形成装置１０の出荷時には、ターゲット情報８４及びベースデータ８６に基づいて作成されたプロファイル８８が記憶部２６に記憶されているものとする。すなわち、本実施の形態に係るプロファイル８８は、１５８４通りの第１色空間における入力される色データと、出力される色データとの変換関係を示す情報で構成される。
【００４６】
本実施の形態に係るカウンタ９０は、ユーザにより画像形成装置１０が使用される場所に画像形成装置１０を設置した後のプロファイル８８の修正回数を示す値が記憶される。本実施の形態では、画像形成装置１０の出荷時には、カウンタ９０が０（零）に初期化されているものとする。
【００４７】
本実施の形態に係る画像形成制御部６０は、画像形成部４２を制御して、記憶部２６に記憶された第１入力画像データ８０を、プロファイル８８を用いて変換して得られたデータに基づいて、用紙Ｐに第１出力画像Ｇ１を形成する。また、画像形成制御部６０は、画像形成部４２を制御して、記憶部２６に記憶された第２入力画像データ８２を、プロファイル８８を用いて変換して得られたデータに基づいて、用紙Ｐに第２出力画像Ｇ２を形成する。
【００４８】
本実施の形態に係る第１取得部６２は、第１入力画像データ８０に基づいて用紙Ｐに形成された第１出力画像Ｇ１の第１色データを含むベースデータ８６を記憶部２６から取得する。また、第１取得部６２は、第１入力画像データ８０に基づいて用紙Ｐに形成された第１出力画像Ｇ１を、測色装置４４により読み取って得られた第１色データを取得する。
【００４９】
本実施の形態に係る第２取得部６４は、第２入力画像データ８２に基づいて用紙Ｐに形成された第２出力画像Ｇ２を、測色装置４４により読み取って得られた第２色データを取得する。
【００５０】
本実施の形態に係る判定部６６は、ベースデータ８６を作成する際に用いられた用紙Ｐの地色（以下、「第１地色」という）と、第２出力画像Ｇ２が形成された用紙Ｐの地色（以下、「第２地色」という）とを取得する。具体的には、判定部６６は、ベースデータ８６の第２色空間における、画像を形成する際にトナーを用いない（本実施の形態では、Ｙ、Ｍ、Ｃ、Ｋの値が各々０）パッチ画像ＰＧに対応する色データを、第１地色を示す色データとして取得する。また、判定部６６は、第２取得部６４により取得された第２色データに含まれる上記トナーを用いないパッチ画像ＰＧに対応する色データを、第２地色を示す色データとして取得する。
【００５１】
そして、判定部６６は、第１地色と第２地色との色差（以下、「地色差」という）が第２閾値（例えば、３．５）未満であるか否かを判定する。なお、この差としては、例えば、第１地色及び第２地色を各々第２色空間上にマッピングし、マッピングした２点間のユークリッド距離を適用すればよい。また、第２閾値としては、例えば、画像形成装置１０の実機を用いた実験等により、地色差が、用紙Ｐの地色がプロファイル８８の変換精度が許容範囲から外れるほど違う差の下限値として予め定められた値等を適用すればよい。
【００５２】
また、判定部６６は、記憶部２６に記憶されたカウンタ９０の値により示されるプロファイル８８の修正回数が第３閾値（例えば、５）以下であるか否かを判定する。また、判定部６６は、記憶部２６に記憶されたカウンタ９０の値により示されるプロファイル８８の修正回数が１以上であるか否かを判定することによって、プロファイル８８が過去に修正されたか否かを判定する。
【００５３】
本実施の形態に係る作成部６８は、判定部６６により地色差が第２閾値未満であると判定された場合で、かつプロファイル８８の修正回数が第３閾値以下であると判定された場合、以下に示す処理でプロファイル８８を作成する。すなわち、この場合、作成部６８は、第１取得部６２により取得されたベースデータ８６から第２入力画像データ８２の色データに対応する第２色空間の色データ（すなわち、２００個の色データ）を抽出する。
【００５４】
また、作成部６８は、抽出した第２色空間の色データと、第２取得部６４により取得された第２色データとの対応する色同士の色差の平均値（以下、「平均色差」という）を導出する。なお、作成部６８は、抽出した第２色空間の色データと、第２取得部６４により取得された第２色データとの対応する色同士の色差の中央値や最頻値等の他の統計値を導出してもよい。
【００５５】
そして、作成部６８は、平均色差が第１閾値（例えば、４）以上である場合、画像形成部４２により第１出力画像Ｇ１を用紙Ｐに形成させ、用紙Ｐに形成された第１出力画像Ｇ１を測色装置４４により読み取って得られた第１色データを第１取得部６２により取得する。また、この場合、作成部６８は、第１取得部６２により取得された第１色データを用いてプロファイル８８を作成する第１作成モードでプロファイル８８を作成する。なお、第１閾値としては、例えば、画像形成装置１０の実機を用いた実験等により、要求されるプロファイル８８の変換精度等に応じて予め定められた値等を適用すればよい。
【００５６】
具体的には、作成部６８は、第１作成モードでは、第１入力画像データ８０の各色と、第１取得部６２により取得された第１色データの各色とを対応する色同士で対応付けたベースデータ８６を作成する。そして、作成部６８は、ターゲット情報８４と第１作成モードで作成したベースデータ８６とに基づいてプロファイル８８を作成する。なお、作成部６８は、第１作成モードでプロファイル８８を作成する際に、ターゲット情報８４に含まれる地色とベースデータ８６に含まれる地色との差が解消されるように、ベースデータ８６を修正したうえで、プロファイル８８を作成する。
【００５７】
一方、作成部６８は、平均色差が第１閾値未満である場合、第２取得部６４により取得された第２色データに基づいてプロファイル８８を作成する第２作成モードでプロファイル８８を作成する。具体的には、作成部６８は、第２入力画像データ８２の各色と、第２取得部６４により取得された第２色データの各色との対応する色同士を対応付けたベースデータを作成する。すなわち、本実施の形態では、このベースデータは２００個の対応関係を示す情報で構成されたデータとなる。
【００５８】
そして、作成部６８は、作成したベースデータに対して補間処理を行うことで、該ベースデータからベースデータ８６と同じ個数（本実施の形態では１５８４個）の対応関係を示す情報を含む仮想のベースデータ８６を作成する。ここで、本実施の形態に係る作成部６８は、一例として図８に示すように、仮想のベースデータ８６を作成する場合、第２色空間の色データを許容範囲内とするクリップ処理を行う。
【００５９】
具体的には、作成部６８は、仮想のベースデータ８６と、記憶部２６に記憶されたベースデータ８６との第２色空間における対応する色同士の色データの差が、許容範囲内となるように、仮想のベースデータ８６を修正する。なお、図８では、第２色空間の色データのＬ＊成分におけるＬ＊の値と上記差との関係を示している。また、図８の丸印は第２出力画像Ｇ２の色データの実測値を示し、実線Ｘは、上記補間処理で得られた色データの該関係を示し、図８の２本の破線は、各々上記許容範囲の上限値と下限値を示している。すなわち、本実施の形態に係る作成部６８は、上記差が許容範囲の下限値（図８に示す例では−１）未満の場合は該差を下限値とし、上記差が上限値（図８に示す例では１）を超えている場合は該差を上限値とするクリップ処理により仮想のベースデータ８６を修正する。そして、作成部６８は、ターゲット情報８４と第２作成モードで作成した仮想のベースデータ８６とに基づいてプロファイル８８を作成する。
【００６０】
なお、作成部６８は、第２作成モードでプロファイル８８を作成する際も、ターゲット情報８４に含まれる地色と仮想のベースデータ８６に含まれる地色との差が解消されるように、仮想のベースデータ８６を修正したうえで、プロファイル８８を作成する。すなわち、第１作成モード及び第２作成モードでは、地色の基準がターゲット情報８４に含まれる地色となる。また、本実施の形態では、画像形成装置１０の出荷時に記憶部２６に記憶されているプロファイル８８も地色の基準がターゲット情報８４に含まれる地色とされている。
【００６１】
また、作成部６８は、判定部６６により地色差が第２閾値以上であり、かつプロファイル８８が過去に未修正であると判定された場合、第２取得部６４により取得された第２色データに基づいてプロファイル８８を作成する。具体的には、この場合、作成部６８は、上記第２作成モードでの作成と同様にプロファイル８８を作成する。ただし、この場合、作成部６８は、仮想のベースデータ８６を作成する際に上記クリップ処理を行わない。これは、地色差が第２閾値以上であり、かつプロファイル８８が過去に未修正であるということは、ユーザが使用している用紙Ｐが、ベースデータ８６を作成する際に用いた用紙Ｐと異なることによって色差が比較的大きくなる可能性が高いと考えられるためである。
【００６２】
また、この場合、作成部６８は、ターゲット情報８４に含まれる地色と仮想のベースデータ８６に含まれる地色との色差が解消されるように、ターゲット情報８４を修正したうえでプロファイル８８を作成する。すなわち、この場合に作成されたプロファイル８８は、地色の基準が仮想のベースデータ８６に含まれる地色となる。さらに、この場合、作成部６８は作成した仮想のベースデータ８６で、記憶部２６に記憶されたベースデータ８６を上書きして記憶（更新）する。従って、本実施の形態では、この場合に２回目以降にプロファイル８８を修正する場合は、更新されたベースデータ８６を用いることになるため、プロファイル８８の作成時の条件に応じて、より適切にプロファイル８８が作成される。
【００６３】
本実施の形態に係る報知部７０は、作成部６８が第１作成モード及び第２作成モードの何れの作成モードでプロファイル８８を作成するかを報知する。また、報知部７０は、判定部６６により地色差が第２閾値未満であり、プロファイル８８の修正回数が第３閾値を超えていると判定された場合、修正回数が多くなっている旨を報知する。また、報知部７０は、判定部６６により地色差が第２閾値以上であり、プロファイル８８が過去に修正されたと判定された場合、ユーザが使う用紙Ｐを間違っている可能性がある旨を報知する。また、報知部７０は、判定部６６により地色差が第２閾値以上であり、プロファイル８８が過去に未修正であると判定された場合、プロファイル８８の作成を続行するか否かをユーザに確認するための情報を報知する。
【００６４】
次に、図９を参照して、本実施の形態に係る画像形成装置１０の作用を説明する。なお、図９は、ＣＰＵ２０によって実行されるプロファイル作成処理プログラムの処理の流れを示すフローチャートである。本プロファイル作成処理プログラムは、初回は、例えば画像形成装置１０の使用場所への設置直後のユーザによるセットアップ時に実行される。また、本プロファイル作成処理プログラムは、２回目以降は、例えば１日１回等の定期的なタイミングに実行される。なお、本プロファイル作成処理プログラムはＲＯＭ２２に予めインストールされている。
【００６５】
図９のステップ１００で、画像形成制御部６０は、画像形成部４２を制御して、記憶部２６に記憶された第２入力画像データ８２を、プロファイル８８を用いて変換して得られたデータに基づいて、用紙Ｐに第２出力画像Ｇ２を形成する。
【００６６】
次のステップ１０２で、第２取得部６４は、第２入力画像データ８２に基づいて用紙Ｐに形成された第２出力画像Ｇ２を、測色装置４４により読み取って得られた第２色データを取得する。次のステップ１０４で、判定部６６は、記憶部２６に記憶されたベースデータ８６から、画像を形成する際にトナーを用いないパッチ画像ＰＧに対応する第１色空間の色データを、第１地色を示す色データとして取得する。また、判定部６６は、ステップ１０２で取得された第２色データに含まれる上記トナーを用いないパッチ画像ＰＧに対応する色データを、第２地色を示す色データとして取得する。そして、判定部６６は、取得した第１地色と第２地色との地色差が第２閾値未満であるか否かを判定する。この判定が肯定判定となった場合は、処理はステップ１０６に移行する。
【００６７】
ステップ１０６で、判定部６６は、記憶部２６に記憶されたカウンタ９０の値により示されるプロファイル８８の修正回数が第３閾値以下であるか否かを判定する。この判定が肯定判定となった場合は、処理はステップ１０８に移行する。ステップ１０８で、第１取得部６２は、記憶部２６からベースデータ８６を取得する。次のステップ１１０で、作成部６８は、ステップ１０８で取得されたベースデータ８６から第２入力画像データ８２の色データに対応する第２色空間の色データを抽出する。
【００６８】
次のステップ１１２で、作成部６８は、ステップ１１０で抽出された色データと、ステップ１０２で取得された第２色データとの平均色差を導出する。そして、作成部６８は、導出した平均色差が第１閾値未満であるか否かを判定する。この判定が肯定判定となった場合は、処理はステップ１１４に移行する。なお、作成部６８は、ステップ１１０で、ステップ１０２で取得された色データに対して補間処理を行って第１入力画像データ８０の色データの数と同数の色データを作成してもよい。この場合、作成部６８は、ステップ１１２で、作成した色データと、ステップ１０８で取得されたベースデータ８６の第２色空間の色データとの平均色差を導出して、導出した平均色差と第１閾値未満との比較を行えばよい。
【００６９】
ステップ１１４で、報知部７０は、第２作成モードでプロファイル８８を作成することを報知する。具体的には、報知部７０は、第１出力画像Ｇ１よりも少ない数のパッチ画像ＰＧを含む第２出力画像Ｇ２を用いてプロファイル８８を作成することを通知する第１通知画面を、操作表示部５０のディスプレイに表示する。
【００７０】
図１０に本実施の形態に係る第１通知画面の一例を示す。図１０に示すように、本実施の形態に係る第１通知画面では、第２出力画像Ｇ２（図１０に示す例では「スモールセットのパッチ画像」と表記）を用いてプロファイル８８を作成することを示す情報が表示される。ここで、ユーザは、第１通知画面の表示を終了してプロファイル作成処理を続行する場合、第１通知画面の下部に表示されている続行ボタンを指定する。なお、ユーザは、本プロファイル作成処理を中止したい場合は、第１通知画面の下部に表示されている中止ボタンを指定する。すなわち、以下に示すステップ１１６以降の処理は、第１通知画面においてユーザにより続行ボタンが指定された場合に実行される。
【００７１】
次のステップ１１６で、作成部６８は、前述したように、第２入力画像データ８２の各色と、ステップ１０２で取得された第２色データとに基づいて、上記補間処理及びクリップ処理を行って仮想のベースデータ８６を作成する。次のステップ１１８で、作成部６８は、前述したように、ターゲット情報８４とステップ１１６で作成された仮想のベースデータ８６とに基づいて、地色の基準をターゲット情報８４に含まれる地色としたプロファイル８８を作成する。
【００７２】
次のステップ１２０で、作成部６８は、ステップ１１８で作成されたプロファイル８８を記憶部２６に記憶（更新）する。次のステップ１２２で、作成部６８は、カウンタ９０に「１」を加算した後、本プロファイル作成処理を終了する。
【００７３】
一方、ステップ１１２の判定が否定判定となった場合は、処理はステップ１２４に移行する。ステップ１２４で、報知部７０は、第１作成モードでプロファイル８８を作成することを報知する。具体的には、報知部７０は、第１出力画像Ｇ１でプロファイル８８を作成することを通知する第２通知画面を、操作表示部５０のディスプレイに表示する。
【００７４】
図１１に本実施の形態に係る第２通知画面の一例を示す。図１１に示すように、本実施の形態に係る第２通知画面では、第１出力画像Ｇ１（図１１に示す例では「フルセットのパッチ画像」と表記）を用いてプロファイル８８を作成することを示す情報が表示される。ここで、ユーザは、第２通知画面の表示を終了してプロファイル作成処理を続行したい場合、第２通知画面の下部に表示されている続行ボタンを指定する。なお、ユーザは、本プロファイル作成処理を中止したい場合は、第２通知画面の下部に表示されている中止ボタンを指定する。すなわち、以下に示すステップ１２６以降の処理は、第２通知画面においてユーザにより続行ボタンが指定された場合に実行される。
【００７５】
次のステップ１２６で、画像形成制御部６０は、画像形成部４２を制御して、記憶部２６に記憶された第１入力画像データ８０を、プロファイル８８を用いて変換して得られたデータに基づいて、用紙Ｐに第１出力画像Ｇ１を形成する。次のステップ１２８で、第１取得部６２は、第１入力画像データ８０に基づいて用紙Ｐに形成された第１出力画像Ｇ１を、測色装置４４により読み取って得られた第１色データを取得する。
【００７６】
なお、本ステップ１２６で、画像形成制御部６０は、記憶部２６に記憶されたベースデータ８６を作成する際に用いた第１出力画像Ｇ１と異なる画像を形成してもよい。この場合、例えば、画像形成制御部６０は、第１出力画像Ｇ１よりも色の数が若干多い画像、又は色の数が若干少ない画像を用紙Ｐに形成する形態が例示される。また、この場合、上記ステップ１２８で、第１取得部６２は、上記第１色データに相当する色データとして、用紙Ｐに形成された該画像を測色装置４４により読み取って得られた色データを取得する。
【００７７】
次のステップ１３０で、作成部６８は、第１入力画像データ８０の各色と、ステップ１２８で取得された第１色データの各色との対応する色同士を対応付けたベースデータ８６を作成する。そして、作成部６８は、前述したように、ターゲット情報８４と作成したベースデータ８６とに基づいて、地色の基準をターゲット情報８４に含まれる地色としたプロファイル８８を作成する。次のステップ１３２で、作成部６８は、ステップ１１８で作成されたプロファイル８８を記憶部２６に記憶（更新）した後、ステップ１２２に移行する。
【００７８】
一方、ステップ１０６の判定が否定判定となった場合は、処理はステップ１３４に移行する。ステップ１３４で、報知部７０は、プロファイル８８の修正回数が第３閾値を超えている旨を報知する。具体的には、報知部７０は、プロファイル８８の修正回数が第３閾値を超えていることを通知する第３通知画面を、操作表示部５０のディスプレイに表示する。
【００７９】
図１２に本実施の形態に係る第３通知画面の一例を示す。図１２に示すように、本実施の形態に係る第３通知画面では、プロファイル８８の修正回数が第３閾値（図１２に示す例では５回）を超えていることを示す情報が表示される。ここで、ユーザは、第３通知画面の表示を終了する場合、第３通知画面の下部に表示されている終了ボタンを指定する。本ステップ１３４の処理が終了すると、本プロファイル作成処理は終了する。
【００８０】
一方、ステップ１０４の判定が否定判定となった場合は、処理はステップ１３６に移行する。ステップ１３６で、判定部６６は、記憶部２６に記憶されたカウンタ９０の値により示されるプロファイル８８の修正回数が１以上であるか否かを判定することによって、プロファイル８８が過去に修正されたか否かを判定する。この判定が否定判定となった場合は、処理はステップ１３８に移行する。
【００８１】
ステップ１３８で、報知部７０は、プロファイル８８の作成を続行するか否かを確認するための情報を報知する。具体的には、報知部７０は、プロファイル８８の作成を続行するか否かを確認するための確認画面を、操作表示部５０のディスプレイに表示する。
【００８２】
図１３に本実施の形態に係る確認画面の一例を示す。図１３に示すように、本実施の形態に係る確認画面では、地色差が大きくなっていることを示す情報、及びプロファイル８８の作成を続行するかを確認することを示す情報が表示される。ここで、ユーザは、確認画面の表示を終了してプロファイル作成処理を続行したい場合、確認画面の下部に表示されている続行ボタンを指定する。なお、ユーザは、本プロファイル作成処理を中止したい場合は、確認画面の下部に表示されている中止ボタンを指定する。すなわち、以下に示すステップ１４０以降の処理は、確認画面においてユーザにより続行ボタンが指定された場合に実行される。
【００８３】
ステップ１４０で、作成部６８は、前述したように、第２入力画像データ８２の各色と、ステップ１０２で取得された第２色データに基づいて、上記補間処理を行って仮想のベースデータ８６を作成する。このように、本実施の形態では、本ステップ１４０では上記クリップ処理を行わないが、これに限定されない。例えば、上記ステップ１１６の処理でのクリップ処理に用いる許容範囲よりも範囲を広くしてクリップ処理を行う形態としてもよい。この場合、例えば、地色差が大きくなるほど該許容範囲の上限値を大きくし、下限値を小さくする形態が例示される。
【００８４】
次のステップ１４２で、作成部６８は、前述したように、ターゲット情報８４とステップ１４０で作成された仮想のベースデータ８６とに基づいて、地色の基準を仮想のベースデータ８６に含まれる地色としたプロファイル８８を作成する。
【００８５】
次のステップ１４４で、作成部６８は、ステップ１４２で作成されたプロファイル８８を記憶部２６に記憶（更新）する。次のステップ１４６で、作成部６８は、ステップ１４０で作成された仮想のベースデータ８６を、ベースデータ８６として記憶部２６に記憶（更新）する。本ステップ１４６の処理が終了すると、処理はステップ１２２に移行する。
【００８６】
一方、ステップ１３６の判定が肯定判定となった場合は、処理はステップ１４８に移行する。ステップ１４８で、報知部７０は、ユーザが使用している用紙Ｐを間違っている可能性がある旨を報知する。具体的には、報知部７０は、ユーザが使用している用紙Ｐを間違っている可能性があることを通知する第４通知画面を、操作表示部５０のディスプレイに表示する。
【００８７】
図１４に本実施の形態に係る第４通知画面の一例を示す。図１４に示すように、本実施の形態に係る第４通知画面では、ユーザが使っている用紙Ｐが間違っている可能性があることを示す情報が表示される。ここで、ユーザは、第４通知画面の表示を終了する場合、第４通知画面の下部に表示されている終了ボタンを指定する。本ステップ１４８の処理が終了すると、本プロファイル作成処理は終了する。
【００８８】
なお、上記実施の形態では、地色差、修正回数、及び平均色差の各パラメータを用いてプロファイル８８の作成方法を切り替える場合について説明したが、これに限定されない。例えば、上記各パラメータのうち、平均色差のみを用いてプロファイル８８の作成方法を切り替える形態としてもよい。この場合、例えば、平均色差が第１閾値以上である場合は第１作成モードでプロファイル８８を作成し、平均色差が第１閾値未満である場合は第２作成モードでプロファイルを作成する形態が例示される。この形態例におけるプロファイル作成処理プログラムの処理の流れを示すフローチャートを図１５に示す。この形態例における各ステップの処理は、同一の処理が上記実施の形態に係るプロファイル作成処理（図９参照）に含まれるため、図１５には図９の対応するステップと同一のステップ番号を付して、ここでの説明を省略する。図１５に示すように、この形態例におけるプロファイル作成処理では、上記実施の形態に係るプロファイル作成処理のステップ１０４、１０６、１２２、１３４〜１４８の処理が不要となる。
【００８９】
また、例えば、上記各パラメータのうち、地色差のみを用いてプロファイル８８の作成方法を切り替える形態としてもよい。この場合、例えば、地色差が第２閾値未満であるか否かによって処理内容を切り替えて、第２色データを用いてプロファイル８８を作成する形態が例示される。この形態例におけるプロファイル作成処理プログラムの処理の流れを示すフローチャートを図１６に示す。この形態例における各ステップの処理は、同一の処理が上記実施の形態に係るプロファイル作成処理（図９参照）に含まれるため、図１６には図９の対応するステップと同一のステップ番号を付して、ここでの説明を省略する。図１６に示すように、この形態例におけるプロファイル作成処理では、上記実施の形態に係るプロファイル作成処理のステップ１０６〜１１２、１２２〜１３６、１４８の処理が不要となる。
【００９０】
さらに、例えば、上記各パラメータのうち、修正回数のみを用いてプロファイル８８の作成方法を切り替える形態としてもよい。この場合、例えば、プロファイル８８が過去に未修正であるか否か（例えば、カウンタ９０の値が０であるか否か）によって処理内容を切り替えて、第２色データを用いてプロファイル８８を作成する形態が例示される。この形態例におけるプロファイル作成処理プログラムの処理の流れを示すフローチャートを図１７に示す。この形態例における各ステップの処理は、同一の処理が上記実施の形態に係るプロファイル作成処理（図９参照）に含まれるため、図１７には図９の対応するステップと同一のステップ番号を付して、ここでの説明を省略する。図１７に示すように、この形態例におけるプロファイル作成処理では、上記実施の形態に係るプロファイル作成処理のステップ１０４〜１１２、１２４〜１３４、１３８、１４８の処理が不要となる。また、この形態例におけるプロファイル作成処理は、例えばユーザが操作表示部５０を介してプロファイル８８の修正指示を入力した場合等、外部からプロファイル８８を修正する指示が受け付けられた場合にＣＰＵ２０によって実行される。
【００９１】
また、上記実施の形態では、報知部７０が各種画面を操作表示部５０のディスプレイに表示することによって報知する場合について説明したが、これに限定されない。例えば、報知部７０が音を発すること、及び用紙Ｐに画像を形成すること等によって報知する形態としてもよい。
【００９２】
また、上記実施の形態では、プロファイル作成処理プログラムがＲＯＭ２２に予めインストールされている場合について説明したが、これに限定されない。例えば、プロファイル作成処理プログラムが、ＣＤ−ＲＯＭ（Compact Disk Read Only Memory）等の記憶媒体に格納されて提供される形態、又はネットワークを介して提供される形態としてもよい。
【００９３】
さらに、上記実施の形態では、プロファイル作成処理を、プログラムを実行することにより、コンピュータを利用してソフトウェア構成により実現する場合について説明したが、これに限定されない。例えば、プロファイル作成処理を、ハードウェア構成や、ハードウェア構成とソフトウェア構成の組み合わせによって実現する形態としてもよい。
【００９４】
その他、上記実施の形態で説明した画像形成装置１０の構成（図１参照。）は一例であり、本発明の主旨を逸脱しない範囲内において不要な部分を削除したり、新たな部分を追加したりしてもよいことは言うまでもない。
【００９５】
また、上記実施の形態で説明したプロファイル作成処理プログラムの処理の流れ（図９参照）も一例であり、本発明の主旨を逸脱しない範囲内において不要なステップを削除したり、新たなステップを追加したり、処理順序を入れ替えたりしてもよいことは言うまでもない。
【００９６】
また、上記実施の形態で示した各種画面の構成（図１０〜図１４参照。）も一例であり、本発明の主旨を逸脱しない範囲内において、一部の情報を削除したり、新たな情報を追加したり、表示位置を変えたりすることができることは言うまでもない。
【符号の説明】
【００９７】
１０  画像形成装置
１２  制御部
２０  ＣＰＵ
２２  ＲＯＭ
２６  記憶部
４２  画像形成部
４４  測色装置
５０  操作表示部
６０  画像形成制御部
６２  第１取得部
６４  第２取得部
６６  判定部
６８  作成部
７０  報知部
８０  第１入力画像データ
８２  第２入力画像データ
８４  ターゲット情報
８６  ベースデータ
８８  プロファイル
９０  カウンタ
Ｇ１  第１出力画像
Ｇ２  第２出力画像
Ｐ  用紙
【図１】
0006750301.tif 000002
【図２】
0006750301.tif 000003
【図３】
0006750301.tif 000004
【図４】
0006750301.tif 000005
【図５】
0006750301.tif 000006
【図６】
0006750301.tif 000007
【図７】
0006750301.tif 000008
【図８】
0006750301.tif 000009
【図９】
0006750301.tif 000010
【図１０】
0006750301.tif 000011
【図１１】
0006750301.tif 000012
【図１２】
0006750301.tif 000013
【図１３】
0006750301.tif 000014
【図１４】
0006750301.tif 000015
【図１５】
0006750301.tif 000016
【図１６】
0006750301.tif 000017
【図１７】
0006750301.tif 000018